(57)【要約】      （修正有）【課題】焼き２枚貝殻の熱が手袋を通して熱が伝わり、手などに火傷や焼き２枚貝の殻剥き作業時に、殻剥きナイフが滑って怪我をすることを防止した焼き２枚貝の殻剥き安全シートを提供する。【解決手段】焼き２枚貝の殻剥き安全シート１で焼き２枚貝の熱を断熱することや焼貝を掌に固定するために収縮素材シートの表面及び裏面に凹凸模様を施し、焼き２枚貝の断熱や滑りを固定する事や焼き２枚貝の殻剥き安全シートの収縮素材シート内の淵に貝剥きナイフを通す穴５を施して、貝剥きナイフを殻剥き安全シート範囲内に作動させる事で課題を解決する形態である。また、２枚貝の種類に応じた貝剥き形状にするためにスナップボタンを施し開閉させる事が出来ることを特徴とする。【選択図】図１
0003187643.tif 000002
【実用新案登録請求の範囲】
【請求項１】
本考案は、焼き２枚貝の殻剥き安全シートを収縮素材シリコン及び新収縮素材で、焼き２枚貝の熱い貝殻を剥く作業時に手袋を施した掌の上に設置することで貝殻熱を断熱する収縮素材シートの表面に凹凸模様を施し断熱効果や滑り止め効果で焼き貝を固定させて、熱い焼き２枚貝の貝殻で火傷や怪我を防止する事を特徴とした、焼き２枚貝の殻剥き安全シート。
【請求項２】
また、貝剥き作業にナイフが貝殻表面を滑り手などに当り怪我を防止するために、焼き２枚貝の殻剥き安全シートの淵に貝剥きナイフの固定穴を施し、貝剥きナイフの貝殻で滑って手などに貝剥きナイフが当らないように焼き２枚貝の殻剥き安全シート範囲内で貝剥きナイフ作動をさせて、焼き２枚貝の殻剥き安全シートで手などの怪我を防止する事を特徴とした、焼き２枚貝の殻剥き安全シート。
【請求項３】
さらに、２枚貝には牡蠣の貝殻形状に特徴が有り貝殻を剥く作業において、牡蠣貝殻を剥く時には図で示すスナップボタン２を閉じることで、焼き２枚貝の殻剥き安全シート形状を牡蠣貝の殻が剥くときに適した窪み形状に施し使用する事を特徴とした、焼き２枚貝の殻剥き安全シート。
【請求項４】
さらにまた、図で示すスナップボタン３・４を閉じることでハマグリ・赤貝など上下貝殻対称性の有る貝の貝殻を剥くときに適した窪み形状に施し使用する事を特徴とした、焼き２枚貝の殻剥き安全シート。
【考案の詳細な説明】
【技術分野】
【０００１】  本考案は、焼き２枚貝の貝殻を剥く時に手の安全保護に関するものである。
【背景技術】
【０００２】  従来は手に手袋などを施し掌の焼き２枚貝殻剥きの作業をしていたが、焼き２枚貝の熱で手に火傷や貝剥きナイフが滑り怪我をしていた事に問題があった。【０００３】
【特許文献１】  登録実用新案  第３１３７８３２
【考案の開示】
【考案が解決しようとする課題】
【０００４】  解決しようとする課題は、焼き２枚貝殻の熱が手袋を通して熱が伝わり、手などに火傷や焼き２枚貝の殻剥き作業時に、殻剥きナイフが滑って怪我をしていた事を解決しようとする課題である、
【課題を解決するための手段】
【０００５】  本考案は、焼き２枚貝の殻剥き安全シートで焼き２枚貝の熱を断熱することや焼貝を掌に固定するために収縮素材シートの表面及び裏面に凹凸模様を施し、焼き２枚貝の断熱や滑りを固定する事で課題を解決する。【０００６】  また、焼き２枚貝の殻剥き安全シートの収縮素材シート内の淵に貝剥きナイフを通す穴を施して貝剥きナイフを殻剥き安全シート範囲内に作動させる事で課題を解決する。
【考案の効果】
【０００７】  本考案の効果は、焼き２枚貝の殻剥き安全シートで焼き２枚貝の熱い貝殻を剥く作業時に手袋を施した掌の上に熱を断熱する収縮素材シートの表面及び裏面に凹凸模様を施し断熱効果や滑りにくくして焼き貝を固定させる事で熱い焼き２枚貝の貝殻で火傷や怪我を防止する効果がある。【０００８】  また、貝剥き作業にナイフが貝殻表面を滑り手などに当り怪我を防止するために、焼き２枚貝の殻剥き安全シートの淵に貝剥きナイフ固定穴を施し貝剥きナイフの貝殻で滑って手などに貝剥きナイフが当らないように焼き２枚貝の殻剥き安全シート内で貝剥きナイフ作動をさせて、焼き２枚貝の殻剥き安全シートで手などの怪我や火傷の保護をする効果がある。
【図面の簡単な説明】
【０００９】
【図１】  図１は、焼き２枚貝の殻剥き安全シートを収縮素材シリコン及び新収縮素材に貝の種類に適応するための貝殻に応じた形状窪みを作るスナップボタン２・３・４を施しボタンの開閉で形状変化させる形態平面図である。
【００１０】  また、貝殻剥きナイフを安全シート内で作動する貝殻剥きナイフ穴５を施しにた形状形態平面図である。【００１１】  さらに、焼き２枚貝の殻剥き安全シートを収縮素材シリコン及び新収縮素材の表面及び裏面に凹凸を施し貝の滑り止め機能や焼き貝熱の断熱効果をする形状携帯平面図である。【００１２】
【図２】  図２は、焼き２枚貝の殻剥き安全シートを牡蠣貝殻剥きに応じた形状にスナップボタン２を閉じた、形状形態側面図である。
【００１３】
【図３】  図３は、焼き２枚貝の殻剥き安全シートを牡蠣貝殻剥きに応じた形状にスナップボタン２を閉じた形状形態平面図であり、安全シート内に牡蠣貝を置き牡蠣剥きナイフをセットした、イメージ形態の平面図である。
【００１４】
【図４】  図４は、焼き２枚貝の殻剥き安全シートを図で示すスナップボタン３・４を閉じてハマグリ・赤貝など上下貝殻対称性の有る貝の貝殻を剥くときに適した窪み形状に施し蛤・赤貝など上下貝殻対称性の有る貝を置いた、イメージ形態の平面図である。
【００１５】
【図５】  図５は、焼き２枚貝の殻剥き安全シートを円形形状の平面図である。
【考案を実施するための最良の形態】  以下、本考案の実施形態を図に基づいて説明をする。【００１６】  本考案を実施するために、焼き２枚貝の殻剥き安全シートを収縮素材シリコン及び新収縮素材で、焼き２枚貝の熱い貝殻を剥く作業時に手袋を施した掌の上に設置することで貝殻熱を断熱する収縮素材シートの表面に凹凸模様を施し断熱効果や滑り止め効果で焼き貝を固定させて、熱い焼き２枚貝の貝殻で火傷や怪我を防止する事を特徴とした、焼き２枚貝の殻剥き安全シート。【００１７】  また、貝剥き作業にナイフが貝殻表面を滑り手などに当り怪我を防止するために、焼き２枚貝の殻剥き安全シートの淵に貝剥きナイフの固定穴を施し、貝剥きナイフの貝殻で滑って手などに貝剥きナイフが当らないように焼き２枚貝の殻剥き安全シート範囲内で貝剥きナイフ作動をさせて、焼き２枚貝の殻剥き安全シートで手などの怪我を防止する事を特徴とした、焼き２枚貝の殻剥き安全シート。【００１８】さらに、２枚貝には牡蠣の貝殻形状に特徴が有り貝殻を剥く作業において、牡蠣貝殻を剥く時には図で示すスナップボタン２を閉じることで、焼き２枚貝の殻剥き安全シート形状を牡蠣貝の殻が剥くときに適した窪み形状に施し使用する事を特徴とした、焼き２枚貝の殻剥き安全シート。【００１９】  さらにまた、図で示すスナップボタン３・４を閉じることで蛤・赤貝など上下貝殻対称性の有る貝の貝殻を剥くときに適した窪み形状に施し使用する事を特徴とした、焼き２枚貝の殻剥き安全シート。
【符号の説明】
【００２０】１  表面及び裏面に凹凸を施した焼き２枚貝の殻剥き安全シート。
２  焼き２枚貝の殻剥き安全シートの形状を貝に合わせた窪みを作る中央ボタン。
３  焼き２枚貝の殻剥き安全シートの形状を貝に合わせた窪みを作る左ボタン。
４  焼き２枚貝の殻剥き安全シートの形状を貝に合わせた窪みを作る右ボタン。
５  焼き２枚貝の殻剥き安全シートの貝剥きナイフを通す穴。
６  焼き２枚貝の殻剥き安全シート内に置いた焼き牡蠣。
７  焼き２枚貝の殻剥き安全シートの貝剥きナイフの刃先。
８  焼き２枚貝の殻剥き安全シートの貝剥きナイフの握り手元。
９  焼き２枚貝の殻剥き安全シート内に置いた蛤。
【図１】
0003187643.tif 000003
【図２】
0003187643.tif 000004
【図３】
0003187643.tif 000005
【図４】
0003187643.tif 000006
【図５】
0003187643.tif 000007
【手続補正書】
【提出日】平成25年2月13日(2013.2.13)
【手続補正１】
【補正対象書類名】実用新案登録請求の範囲
【補正対象項目名】全文
【補正方法】変更
【補正の内容】
【実用新案登録請求の範囲】
【請求項１】
本考案は、焼き２枚貝の殻剥き安全シートを収縮素材シリコンで、焼き２枚貝の熱い貝殻を剥く作業時に手袋を施した掌の上に設置することで貝殻熱を断熱する収縮素材シートの表面に凹凸模様を施し断熱効果や滑り止め効果で焼き貝を固定させて、熱い焼き２枚貝の貝殻で火傷や怪我を防止する事を特徴とした、焼き２枚貝の殻剥き安全シート。
【請求項２】
また、貝剥き作業にナイフが貝殻表面を滑り手などに当り怪我を防止するために、焼き２枚貝の殻剥き安全シートの淵に貝剥きナイフの固定穴を施し、貝剥きナイフの貝殻で滑って手などに貝剥きナイフが当らないように焼き２枚貝の殻剥き安全シート範囲内で貝剥きナイフ作動をさせて、焼き２枚貝の殻剥き安全シートで手などの怪我を防止する事を特徴とした請求項１の焼き２枚貝の殻剥き安全シート。
【請求項３】
さらに、２枚貝には牡蠣の貝殻形状に特徴が有り貝殻を剥く作業において、牡蠣貝殻を剥く時には図で示すスナップボタン２を閉じることで、焼き２枚貝の殻剥き安全シート形状を牡蠣貝の殻が剥くときに適した窪み形状に施し使用する事を特徴とした請求項１・２の焼き２枚貝の殻剥き安全シート。
【請求項４】
さらにまた、図で示すスナップボタン３・４を閉じることでハマグリ・赤貝など上下貝殻対称性の有る貝の貝殻を剥くときに適した窪み形状に施し使用する事を特徴とした請求項１・２・３の焼き２枚貝の殻剥き安全シート。
【手続補正書】
【提出日】平成25年5月30日(2013.5.30)
【手続補正１】
【補正対象書類名】実用新案登録請求の範囲
【補正対象項目名】全文
【補正方法】変更
【補正の内容】
【実用新案登録請求の範囲】
【請求項１】
焼き２枚貝の殻剥き安全シートを収縮素材ナイロン製シリコンシートの厚さ１ｍｍから３ｍｍを図１で示した四角形状の角を丸みに施した形状や図５で示した円形状で、焼き２枚貝の熱い貝殻を剥く作業時に手袋を施した掌の上に設置することで、貝殻熱を断熱する為の安全シート収縮素材ナイロン製シリコンシートの表面に凹凸模様の厚さ１ｍｍから３ｍｍで空気層を設けた断熱効果や滑り止め効果を持たせ、焼き貝を固定させて熱い焼き２枚貝の貝殻で火傷や怪我を防止する事を特徴とした、焼き２枚貝の殻剥き安全シート。
【請求項２】
貝剥き作業時にナイフが貝殻表面を滑り手などに当り怪我を防止するために、焼き２枚貝の殻剥き安全シート収縮素材ナイロン製シリコンシートの淵に図１の５示した貝剥きナイフの固定穴を施し、貝剥きナイフの貝殻で滑って手などに貝剥きナイフが当らないように焼き２枚貝の殻剥き安全シート範囲内で貝剥きナイフ作動をさせて、焼き２枚貝の殻剥き安全シートで手などの怪我を防止する事を特徴とした請求項１の焼き２枚貝の殻剥き安全シート。
【請求項３】
２枚貝には牡蠣の貝殻形状に特徴が有り貝殻を剥く作業において、牡蠣貝殻を剥く時には図１で示す安全シート収縮素材ナイロン製シリコンシートにボタン２を設けて、図３で示すボタン２を閉じることで窪みが出来て前方滑りが無く、焼牡蠣の殻剥き安全シート収縮素材ナイロン製シリコンシートの形状が牡蠣貝の殻が剥くときに適した形状で使用する事を特徴とした請求項１または２に記載の焼き２枚貝の殻剥き安全シート。
【請求項４】
１図で示す安全シート収縮素材ナイロン製シリコンシートにボタン３・４を設けて、図４で示すボタン３・４を閉じることで窪みが出来て横滑りが無く、焼ハマグリ・焼赤貝など上下貝殻対称性の有る貝の貝殻を剥くときに適した窪み形状に施して使用する事を特徴とした請求項１から３いずれか１項に記載の焼き２枚貝の殻剥き安全シート。
【手続補正書】
【提出日】平成25年9月23日(2013.9.23)
【手続補正１】
【補正対象書類名】実用新案登録請求の範囲
【補正対象項目名】全文
【補正方法】変更
【補正の内容】
【実用新案登録請求の範囲】
【請求項１】
焼き２枚貝の殻剥き安全シートを収縮素材ナイロン製シリコンシートの厚さ１ｍｍから３ｍｍを四角形状の角を丸みに施した形状や円形状で、焼き２枚貝の熱い貝殻を剥く作業時に手袋を施した掌の上に設置することで、貝殻熱を断熱する為の安全シート収縮素材ナイロン製シリコンシートの表面に凹凸模様の厚さ１ｍｍから３ｍｍで空気層を設けた断熱効果や滑り止め効果を持たせ、焼き貝を固定させて熱い焼き２枚貝の貝殻で火傷や怪我を防止する事を特徴とした、焼き２枚貝の殻剥き安全シート。
【請求項２】
貝剥き作業時にナイフが貝殻表面を滑り手などに当り怪我を防止するために、焼き２枚貝の殻剥き安全シート収縮素材ナイロン製シリコンシートの淵に貝剥きナイフの固定穴を施し、貝剥きナイフの貝殻で滑って手などに貝剥きナイフが当らないように焼き２枚貝の殻剥き安全シート範囲内で貝剥きナイフ作動をさせて、焼き２枚貝の殻剥き安全シートで手などの怪我を防止する事を特徴とした請求項１の焼き２枚貝の殻剥き安全シート。
【請求項３】
２枚貝には牡蠣の貝殻形状に特徴が有り貝殻を剥く作業において、牡蠣貝殻を剥く時には安全シート収縮素材ナイロン製シリコンシートにボタンを設けて、ボタンを閉じることで窪みが出来て前方滑りが無く、焼牡蠣の殻剥き安全シート収縮素材ナイロン製シリコンシートの形状が牡蠣貝の殻が剥くときに適した形状で使用する事を特徴とした請求項１または２に記載の焼き２枚貝の殻剥き安全シート。
【請求項４】
焼き２枚貝の殻剥き安全シートを収縮素材ナイロン製シリコンシートの厚さ１ｍｍから３ｍｍを四角形状の角を丸みに施した形状や円形状の、安全シート収縮素材ナイロン製シリコンシートの左右サイド２箇所にボタンを設けて閉じることで窪みが出来て横滑りが無く、焼ハマグリ・焼赤貝など上下貝殻対称性の有る貝の貝殻を剥くときに適した窪み形状に施して使用する事を特徴とした請求項１から３いずれか１項に記載の焼き２枚貝の殻剥き安全シート。